(57)【要約】【課題】  ソフトで清涼感のある白色光を発する小型電球を得ることができるとともに、フィラメント寿命の向上が可能な小形電球を提供する。【解決手段】  ガラス球１１の円弧状頭頂部１１ａを含むガラス球の長さ方向に部分的に昼光色耐熱用塗料を塗装１７を施す構成とした。小形電球１０から発する光が前記塗装１７を透過することにより得られる昼光に近い色光の光と塗装１７が被覆されない未塗装部分１８から直接出射される光色とを混合して昼光に近い色の光を得るようにし、そして、塗装１７で被覆されない未塗装部分１８はガラス球１１の放熱領域となる。【選択図】  図１
2005071785.tif 000002
【特許請求の範囲】
【請求項１】
ガラス球内にフィラメントと該フィラメントを支持するリード線が配置され、該リード線の一部がガラス球の一端部から外部に導出されたサブミニチュアランプ（外部に導出された該リード線の一部がガラス球の一端部に組み付けられたベ一スの導電用の端子に接続されたべ一ス付きサブミユチュアランプを含む）あるいはガラス球内にフィラメントと該フィラメントを支持するリード線が配置され、該リード線の一部がガラス球の一端部に形成されたベース部から外部に導出され導電用の端子を形成するように形成されたウェッジベースランプなどの一般的にミニチュアランプと呼ばれる小形電球にあって、ガラス球内部に不活性ガスを有するものにおいて、
ガラス球の表面に部分的に昼光色耐熱用塗料の塗装を形成したことを特徴とした小形電球。
【請求項２】
前記昼光色耐熱用塗料の塗装が形成される部分は、前記ガラス球表面上での総面積が、前記ガラス球の全表面積の１／３〜１／２程度であることを特徴とする請求項１記載の小形電球。
【請求項３】
前記昼光色耐熱用塗料の塗装が形成される前記ガラス球表面上の領域は、前記ガラス球の円弧状頭頂部を含むガラス球のフィラメントの位置までの表面領域であることを特徴とする請求項１記載の小形電球。
【請求項４】
前記ガラス球の表面に形成される昼光色耐熱用塗料の塗装領域と前記塗装が施されない未塗装部分が前記ガラス球の全表面に格子状、渦巻状または水玉模様のようにパターン化された形状に形成されていることを特徴とする請求項１または２記載の小形電球。
【発明の詳細な説明】
【技術分野】
【０００１】
本発明は、ガラス球表面に部分的に昼光色耐熱用塗料の塗装を形成することによって、ガラス球表面の昼光色耐熱用塗料の塗装が形成されていない部分からの放熱によりガラス球内部の温度の限度を超えた上昇を防ぐと共に、昼光色耐熱用塗料の塗装の効果による白色光を含んだ光を外部に出射するようにした、一般的にミニチュアランプと呼ばれる小形電球であって、ガラス球内部に不活性ガスを有する小形電球に関するものである。
【背景技術】
【０００２】
ガラス球内にフィラメントと該フィラメントを支持するリード線が配置され、該リード線の一部がガラス球の一端部から外部に導出されたサブミニチュアランプ(外部に導出された該リード線の一部がガラス球の一端部に組み付けられたベ一スの導電用の端子に接続されたベース付きサブミニチュアランプを含む)あるいはガラス球内にフィラメントと該フィラメントを支持するリード線が配置され、該リード線の一部がガラス球の一端部に形成されたべ一ス部から外部に導出され導電用の端子を形成するように形成されたウェッジベースランプなど、一般的にミニチュアランプと称する小形電球がある。
【特許文献１】特開平１０−２９４０９１号公報
【発明の開示】
【発明が解決しようとする課題】
【０００３】
このような小形電球の用途は多岐にわたり、パネルの表示、間接照明、装飾照明、手元灯、自動車の標識灯等の光源として用いられる。そして、このような小形電球から発せられる光は白熱電球特有の黄色みを帯びているが、間接照明、装飾照明、手元灯、自動車の標識灯等の光源として用いられる場合、ユーザーの好み等により白く涼しい色の光が必要とされる。
【０００４】
そこで、昼光色用の所謂キャップをガラス球全体に被せたり、ガラス球そのものを昼光色用の生地ガラスで形成したり、ガラス球表面の全面に昼光色耐熱用塗料で塗装したりして、フィラメントの発する光のうち、主に黄色の波長域の光がガラス球から外部に出るのを妨げるなどして、所望の白く涼しい色の光が外部に出射するようにしている。
【０００５】
ところで、上記のような光の着色方法はガラス球表面から外部への放熱を妨げるものであるので、上記のような方法では、ミニチュアランプの場合、ガラス球の容積が小さいためフィラメントから発する熱によりガラス球内部の温度が限度を超えて上昇し、フィラメントが短時間で焼き切れてしまい、電球の寿命が極端に短くなるという場合がある。  
【０００６】
よって、上記のような光の着色方法が適用できるミニチュアランプはガラス球の寸法および電気的定格について制約を受ける。特に、ガラス球内部に不活性ガスを有するミニチュアランプにおいては、ガラス球内部が真空であるミニチュアランプに比ベガラス球内部の温度が高くなるため、上記のような光の着色方法を適用できる仕様のものは一層限定され、許容内の明るさを保持した白く涼しい色の光を発する電球を設計することができない場合が増えるという間題点がある。
【０００７】
本発明の小形電球の発光色は、昼光色耐熱用塗料が塗装された部分を通過した白色光と、昼光色耐熱用塗料の塗装が施されていない未塗装部分を通過した電球本来の光の混合色であり、ガラス球表面の全面に昼光色耐熱用塗料の塗装を施した電球に比較すると、光の白さという面では劣ると言わざるを得ないが、赤色や橙色などの色を着色塗装する場合のように発光色をなるべくはっきりと見せようとしたり、照らす対象物を着色しようとするものではなく、電球本来の光の色を白い光に変化させて対象物を照らし、対象物の見え方をすっきりとさせることを目的とする。
【０００８】
また、白い光といっても用途により、あるいはユーザーの好みにより電球本来の光の色が混ざった方が適している場合があるが、本発明の小形電球は、特にガラス球内に不活性ガスを有するミニチュアランプに関し、許容内の明るさを保持した上で白色光を含んだ光を外部に出射することを目的とするものである。
【課題を解決するための手段】
【０００９】
本発明の小形電球は、上記課題を解決するために、ガラス球内部に不活性ガスを有するミニチュアランプのガラス球の表面に部分的に昼光色耐熱用塗料の塗装を形成し、ガラス球表面に昼光色耐熱用塗料の塗装が形成されていない部分を効率よく放熱するように残したものである。
【発明の効果】
【００１０】
上記構成によれば、本発明の小形電球の発光色は、昼光色耐熱用塗料が塗装された部分を通過した白色光と昼光色耐熱用塗料の塗装が施されていない未塗装部分を通過した電球本来の光の混合色であり、ガラス球表面の全面に昼光色耐熱用塗料の塗装を施した電球に比較すると、光の白さという面では劣ると言わざるを得ないが、ガラス球の表面に部分的に昼光色耐熱用塗料の塗装を施すことにより、許容内の明るさを保持した上で白色光を含んだ光を外部に出射することができる。
【００１１】
また、白い光といっても用途により、あるいはユーザーの好みにより電球本来の光の色が混ざった方が適している場合があるが、本発明の小形電球はガラス球表面のどの部分にどの程度の面積に昼光色耐熱用塗料の塗装を施すかによって、白色光と電球本来の光の混合バリエーションを多様に創造することができる。
【００１２】
さらに、従来昼光色用の発光色を得るために、所謂キャップをガラス球全体に被せたり、ガラス球そのものを昼光色用の生地ガラスで形成したり、ガラス球表面の全面に昼光色耐熱用塗料で塗装したりすることで、ガラス球内の発熱量の上昇によるフィラメントの寿命の低下を防止ができなかったミニチュアランプについても、フィラメントの寿命を長くし、かつ白色光を含んだ光を外部に出射できる。
【発明を実施するための最良の形態】
【００１３】
以下に、本発明小形電球の実施の形態について、添付図面に示す実施例に従って説明する。
尚、ミニチュアランプの種類は多岐に渡るが、以下の実施例については、本発明の小形電球を直径５.１ｍｍの管状のガラス球を持ったバイピンベース付きのサブミニチュアランプで、特に家庭用ミシンに内蔵され針元照明用として用いられる定格１２Ｖ３Ｗのクリプトン・ガス入りの小形電球（以下、電球という）に適用したものである。
【実施例１】
【００１４】
図１は、本発明の小形電球の第１実施例を示す正面図で、図２は、図１の縦断面図である。
電球１０は、ガラス球１１と該ガラス球１１の内部を閉塞するために、該ガラス球１１の一端部に形成された封じ部１２覆うように該ガラス球１１に接着された樹脂製のベース１３を有し、ガラス球１１内にはフィラメント１４と該フィラメント１４を張架した１対のリード線１５，１５が配置されている。
【００１５】
そして、前記リード線１５，１５の一端部１５ａ，１５ａは封じ部１２から該ガラス球１１の外部に導出され、ベース１３の内部から該ベース１３の底部１３ａを貫通し外部に突出している1対の導電用端子１６，１６と該ベース１３の内部で接続されている。さらに、ガラス球１１の内部にはクリプトン・ガスが封入されている。
【００１６】
また、ガラス球１１の表面のガラス球頭頂部１１ａからフィラメント１４の張架されている部分に相当する高さ付近までの部分に昼光色用耐熱塗料の塗装１７が薄膜状に施されている。
【００１７】
小形電球１０は、家庭用ミシンの針元部（図示せず）方向にガラス球頭頂部１１ａを向けて家庭用ミシンの内部に取り付けられ、家庭用ミシンの針元部は主にガラス球１１の表面に昼光色用耐熱塗料が塗装１７された部分を通過した白色光で照らされる。
【００１８】
この型の小形電球１０はそのガラス球１１表面の全面に昼光色用耐熱塗料の塗装を施した場合には、フィラメント１４が短時間で焼き切れてしまうことが実験的に確認されているが、小形電球１０はガラス球１１の表面の昼光色用耐熱塗料の塗装１７が施されていない未塗装部分１８からの主たる放熱により、ガラス球１１内部の温度が限度を超えて上昇することがなく、よって、フィラメント１４が短時間で焼き切れてしまうこともなく、小形電球１０は正常な点灯を続けることができる。
【００１９】
以上のように構成された本発明の小形電球は、ガラス球１１の表面に部分的に昼光色耐熱用塗料の塗装１７を施すことにより、許容内の明るさを保持した上で白色光を含んだ光を外部に出射することができる。
【００２０】
本発明の小形電球１０の光の色は昼光色耐熱用塗料の塗装１７が施された部分を通過した白色光と昼光色耐熱用塗料の塗装の施されていない未塗装部分１８を通過した電球本来の光の混合色であり、電球本来の光の色を白い光に変化させて対象物を照らし、対象物の見え方をすっきりとさせることができる。    
【００２１】
白い光といっても用途により、あるいはユーザーの好みにより電球本来の光の色が混ざった方が適している場合があり、本発明の小形電球はガラス球表面のどの部分のどの程度の面積に昼光色耐熱用塗料の塗装１７を施すかによって、白色光と電球本来の光の混合バリエーションを多様に創造することができる。
【実施例２】
【００２２】
次に、図３により本発明の実施例２について説明する。
図３は、本発明の実施例２における小型電球の拡大正面図である。この図３において、図１と同一の構成要素には同一符号を付してその構成説明を省略し、図１と異なる部分を重点に説明する。
【００２３】
この実施例２に示す小型電球１０おいて、図１と異なる部分は、ガラス球１１の表面１１ａに昼光色用耐熱塗料の塗装１７を所定の間隔を置いて格子状に塗装１７し、この昼光色用耐熱塗料の塗装１７で覆われる領域の総面積はガラス球１１の全表面積の１／３〜１／２程度になっており、そして、塗装１７で覆われない未塗装部分１８はガラス球１１の放熱領域として機能するようになっている。
【００２４】
このように昼光色用耐熱塗料の塗装１７を所定の間隔を置いて格子状に塗装１７することにより、実施例１の場合と同様、ソフトで清涼感のある白色光を得ることができるとともに、ガス封入タイプのガラスバルブであってもその温度を低減でき、小形電球１０の寿命を向上することができる。
【実施例３】
【００２５】
次に、図４により本発明の実施例３について説明する。
図４は、本発明の実施例３における小型電球の拡大側面図である。この図４において、図２と同一の構成要素には同一符号を付してその構成説明を省略し、図２と異なる部分を重点に説明する。
【００２６】
この実施例３に示す小型電球１０おいて、図２と異なる部分は、ガラス球１１の表面の側周面の一部に昼光色用耐熱塗料の塗装１７を施したもので、この昼光色用耐熱塗料の塗装１７で覆われる領域の総面積はガラス球１１の全表面積の１／３〜１／２程度になっており、昼光色用耐熱塗料の塗装１７で覆われない未塗装部分１８のガラス球１１の表面領域はガラス球１１の放熱領域として機能するようになっている。
【００２７】
このようにガラス球１１表面の側周面の一部に昼光色用耐熱塗料の塗装１７を施すことにより、実施例１の場合と同様、ソフトで清涼感のある白色光を得ることができるとともに、ガス封入タイプのガラスバルブであってもその温度を低減でき、小形電球１０の寿命を向上することができる。
【００２８】
なお、ガラス球１１の表面に形成される昼光色用耐熱塗料の塗装１７は、実施例１〜３に示すものに限らず、例えば、渦巻状のもの、市松模様のようなパターンを呈するものであってもよい。
【００２９】
尚、前記実施例において示した具体的な形状、構造および定格は、本発明を実施するに当ってのほんの一例を示したものに過ぎず、これらによって本発明の技術的範囲が限定的に解釈されてはならない。
【図面の簡単な説明】
【００３０】
【図１】本発明の実施例１における小形電球を拡大して示す縦断側面図である。
【図２】図１の拡大側面図である。
【図３】本発明の実施例２における小形電球の拡大正面図である。
【図４】本発明の実施例３における小形電球の拡大正面図である。
【符号の説明】
【００３１】
１０    小形電球
１１    ガラス球
１１ａ  ガラス球頭頂部
１３    ベース部
１４    フィラメント
１５    リード線線
１６    端子
１７    塗装
１８    未塗装部分
【図１】
2005071785.tif 000003
【図２】
2005071785.tif 000004
【図３】
2005071785.tif 000005
【図４】
2005071785.tif 000006